(57)【要約】  【課題】  エクステンションを取り付ける際に使用するニッパーにおいて、使用者がチップを確実かつ簡単に挟持でき、また、使用者が把持部を強く握っても、所定の大きさ以上にチップが潰れることがなく、確実かつ簡単にエクステンションを取り付けることができるニッパーを提供することを目的とする。  【解決手段】  使用者が把持する把持部１１と、把持部１１の操作で動作する挟持部１２とからなるニッパーにおいて、挟持部１２にチップ２０を挟持するための穴を有するチップ挟持部１３を備えたものである。これにより、使用者は確実かつ簡単にチップを挟持でき、また、使用者が把持部１１を強く握っても、所定の大きさ以上にチップ２０が潰れることはない。このため、チップ２０により挟持されている髪の毛やエクステンションが切れたり外れたりすることはなく、確実かつ簡単にエクステンションを取り付けることができる。【選択図】  図３
2005021594.tif 000002
【特許請求の範囲】
【請求項１】
使用者が把持する把持部と、前記把持部の操作で動作する挟持部とからなるニッパーにおいて、前記挟持部にチップを挟持するための穴を有するチップ挟持部を備えたことを特徴とする美容用ニッパー。
【請求項２】
前記チップ挟持部は楕円形を形成することを特徴とする請求項１に記載の美容用ニッパー。
【請求項３】
前記チップ挟持部は四角形または六角形を形成することを特徴とする請求項１に記載の美容用ニッパー。
【請求項４】
前記チップ挟持部は２箇所以上、異なるサイズで備えることを特徴とする請求項１乃至３のいずれかに記載の美容用ニッパー。
【発明の詳細な説明】
【技術分野】
【０００１】
本発明はニッパーに関し、特にエクステンションを取り付ける際に使用する美容用ニッパーに関する。
【背景技術】
【０００２】
エクステンションとは、アメリカから上陸したヘアアレンジスタイルで、髪の毛を長く見せる「つけ毛」のことである。エクステンションには、髪の毛でできている人毛のエクステンションや合成繊維で作られたファイバーのエクステンションがある。もともとのルーツは、アフリカや中南米のお洒落な女の子達が発端ということもあり、日本でもドレッドやブレイズなどの「ブラックビューティスタイル」がまず定着した。そして、最近では、ドレッド、ブレイズはもちろん、ヒッピー、ギャル、お姉系等、様々なスタイルにあわせてアレンジも自由自在となり、自分の髪の毛を染めることなく、気軽にかつ簡単にワンポイントが加えられるものとして利用されている。
【０００３】
従来、エクステンションの取り付けには専用の接着アイテムが必要であり、一般的には、グルーと呼ばれるボンドと、グルーを熱で溶かしてエクステンションを接着するグルーガンと、糸やシリコンパッドとを用いて取り付けられている。
【０００４】
しかしながら、これら専用の接着アイテムを用いたエクステンションの取り付けは、髪の毛を上下に分け、その間にエクステンションを入れて、ボンドの接着を上と下で最低２回行い、さらに糸やシリコンパッドを用いて補強する必要がある。これにより、一つのエクステンションの取り付けが完了するが、素人には困難な作業であり、複数のエクステンションを取り付けるには、熟練した人でも時間がかかってしまうという問題がある。さらに、ボンドの量を間違えたときには見た目が悪くなってしまうという問題がある。つまり、適量以上のボンドをつけると、エクステンションと髪の毛との間に大きなダマができてしまい、適量以下のボンドをつけると、エクステンションと髪の毛との接着がうまくいかず、ずれ落ちてしまう問題がある。この他にも、ボンドはグルーガンの高熱により溶かすので、溶けたボンドやグルーガンが皮膚に触れると、やけどをしてしまう恐れもある。また、一方でボンドにより取り付けられたエクステンションを取り外す作業は、取り付ける作業よりも困難なものである。
【０００５】
このように、ボンドやグルーガン等の専用の接着アイテムを用いたエクステンションの取り付けには、複数の問題が生じている。本出願人はこれら専用の接着アイテムを用いずに、素人でも安全、簡単、確実かつ時間を短縮してエクステンションの取り付けができ、さらに、エクステンションの取り外しも簡単に行えるエクステンションの髪の毛への取り付け方法を先に出願している（特許文献１参照）。
【特許文献１】特願2002-320766号
【０００６】
以下、本出願人が先に出願した特許文献１について図面を用いて説明する。図６は各構成を示すものである。バー１１０は、ニードル１１１と把持部１１２とからなる。ニードル１１１の先端には髪の毛を引っ掛ける引っ掛け部１１３と、操作者の操作により開閉自在なロック部１１４と、引っ掛け部１１３とロック部１１４との間に形成された針穴１１５とを備えている。チップ１３０は、円形状を施したＯ型チップであり、チップ１３０はニッパー１４０により簡単につぶれ、簡単に復元できる金属を用いる。ここではスタニウムを使用する。スタニウムは変形させるのが簡単で、かつ形状記憶力も高い金属である。エクステンション１２０は、髪の毛でできている人毛や、合成繊維で作った人工毛を用いる。図においてエクステンション１２０は一端をボンドで接着した接着部１２１を備えているが、接着部１２１を備えていないものであっても良い。ニッパー１４０は把持部１４１の操作で狭持部１４２により挟持する一般的に使用されているニッパーを用いる。図において狭持部１４２はチップ１３０を潰すためにほぼ平らに形成されている。
【０００７】
つづいて、図７を用いてエクステンションを髪の毛へ取り付ける手順を説明する。はじめに、バー１１０のニードル１１１が備えられている側からチップ１３０内に挿入し（図７（ａ））、ニードル１１１のロック部１１４を開け、針穴１１５に入る程度の髪の毛１００を束にして入れる（図７（ｂ））。入れた後、ロック部１１４を閉じ、髪の毛１００を針穴１１５に入れた状態でニードル１１１をチップ１３０内から引き抜く（図７（ｃ））。引き抜くことで髪の毛１００はチップ１３０内を通る。髪の毛１００をチップ１３０内に通した後、ロック部１１４を開けて髪の毛１００を針穴１１５から取り出す。なお、引き抜く際、ロック部１１４とチップ１３０の内壁は接触するが、ロック部１１４の構造上、ロック部１１４が開いて髪の毛１００が針穴１１５から外れることはない。これにより、髪の毛１００をチップ１３０内にきれいに通すことができる（図７（ｄ））。
【０００８】
次に、エクステンション１２０をチップ１３０内に入れる（図７（ｅ））。エクステンション１２０に接着部１２１がある場合には、接着部１２１のある側をチップ１３０内に入れる。一方、エクステンション１２０に接着部１２１がない場合には、図７（ａ）乃至（ｃ）に示した要領でバー１１０を用いてエクステンション１２０をチップ１３０内に通し、図７（ｅ）に示すような状態にする。その後、ニッパー１４０でチップ１３０を潰すことにより（図７（ｆ））、チップ１３０はエクステンション１２０及び髪の毛１００を挟持する（図７（ｇ））。以上の工程を経て、エクステンション１２０の髪の毛１００への取り付けは完了する。なお、エクステンション１２０の髪の毛１００からの取り外しは、エクステンション１２０を挟持しているチップ１３０をニッパー１４０で復元させることにより取り外すことができる。
【０００９】
上記した通り、本出願人が先に出願したエクステンションの髪の毛への取り付け方法により、ボンドやグルーガン等の専用の接着アイテムを用いずに、素人でも安全、簡単、確実かつ短時間でエクステンションの取り付けができ、また、エクステンションの取り外しも短時間に行うことができる。
【発明の開示】
【発明が解決しようとする課題】
【００１０】
しかしながら、図７（ｆ）に示すニッパーでチップを潰す工程では、ニッパーの挟持部はチップを潰すためにほぼ平らに形成されているので、この面で挟持されるチップは滑り落ちてしまう場合があり、チップの挟持が不確実で困難であるという問題がある。また、ニッパーにより潰れるチップの形状は使用者が加える力の加減により決められるので、その操作は難しいという問題がある。つまり、使用者がニッパーを強く握ってしまうと、チップは必要以上に潰れてしまい（図８（ａ））、チップにより挟持されている髪の毛やエクステンションが切れてしまうことがある。また、使用者がニッパーを弱く握ってしまうと、チップは十分に潰れずに、チップにより挟持されている髪の毛やエクステンションが外れてしまうことがある（図８（ｂ））。また、この他にも、チップにより挟持されているエクステンションは、ニッパーでチップを挟持して復元させることにより取り外すことができるが、ニッパーの挟持部が平らに形成されていると、潰れているチップを復元させる操作を行うのは困難であるという問題がある。
【００１１】
このように、エクステンションを取り付ける際に使用するニッパーの挟持部が平らに形成されていると数多くの問題が生じる。本発明は、上記の問題に着目し、エクステンションを取り付ける際に使用するニッパーにおいて、使用者がチップを確実かつ簡単に挟持でき、また、使用者が把持部を強く握っても、所定の大きさ以上にチップが潰れることがなく、確実かつ簡単にエクステンションを取り付けることができるニッパーを提供することを目的とする。
【課題を解決するための手段】
【００１２】
本発明の請求項１に記載の美容用ニッパーは、使用者が把持する把持部と、把持部の操作で動作する挟持部とからなるニッパーにおいて、挟持部にチップを挟持するための穴を有するチップ挟持部を備えたものである。これにより、使用者は確実かつ簡単にチップを挟持でき、また、使用者が把持部を強く握っても、所定の大きさ以上にチップが潰れることはない。このため、チップにより挟持されている髪の毛やエクステンションが切れたり外れたりすることはなく、確実かつ簡単にエクステンションを取り付けることができる。また、チップ挟持部で潰れたチップを挟持して復元させるように操作することにより、取り付けられたエクステンションを簡単に取り外すことができる。
【００１３】
本発明の請求項２に記載の美容用ニッパーは、請求項１に記載の美容用ニッパーについて、穴を楕円形とするものである。これにより、使用者が把持部を強く握った際には、所定の大きさ以上にチップが潰れることはなく、チップは所定の大きさと形状の楕円形に潰される。
【００１４】
本発明の請求項３に記載の美容用ニッパーは、請求項１に記載の美容用ニッパーについて、穴を四角形または六角形とするものである。これにより、使用者が把持部を強く握った際には、所定の大きさ以上にチップが潰れることはなく、チップは所定の大きさと形状の四角形または六角形に潰される。
【００１５】
また、本発明の請求項４に記載の美容用ニッパーは、請求項１乃至３に記載の美容用ニッパーについて、チップ挟持部は２箇所以上、異なるサイズで備えるものである。これにより、チップのサイズに合わせて選択的に使用できる。
【発明の効果】
【００１６】
本発明の美容用ニッパーによれば、使用者が把持する把持部と、把持部の操作で動作する挟持部とからなるニッパーにおいて、挟持部にチップを挟持するための穴を有するチップ挟持部を備えたので、使用者は確実かつ簡単にチップを挟持でき、また、使用者が把持部を強く握っても、所定の大きさ以上にチップが潰れることはない。このため、チップにより挟持されている髪の毛やエクステンションが切れたり外れたりすることはなく、確実かつ簡単にエクステンションを取り付けることができる。
【００１７】
また、本発明の美容用ニッパーは、チップ挟持部で潰れたチップを挟持して復元させるように操作することにより、取り付けられたエクステンションを簡単に取り外すことができる。
【発明を実施するための最良の形態】
【００１８】
以下、図面を用いて本発明の一実施の形態を説明する。なお、従来技術で説明したエクステンションを取り付ける際に用いる構成（図６参照）と、本実施の形態で用いる構成とで異なる構成は、主にニッパーのみであり、エクステンションを取り付ける手順については従来技術と同じである。
【００１９】
図１乃至図３に示すのは、エクステンションを取り付ける際に使用する美容用ニッパー１０であり、図１は美容用ニッパー１０の閉じた状態を示し、図２は美容用ニッパー１０の開いた状態を示し、図３はチップ２０を挟持した状態を示している。美容用ニッパー１０は、使用者が把持する把持部１１と、把持部１１の操作で動作する挟持部１２と、挟持部１２にチップ２０を挟持するための穴を有するチップ挟持部１３ａ，１３ｂを備えている。美容用ニッパー１０を六方向から見た様子を図５に示す。
【００２０】
また、美容用ニッパー１０は、バネ１４により開く状態に付勢されている。また、図においてチップ挟持部１３は、チップ挟持部１３ａ，１３ｂを２箇所備えているが、これらはそれぞれ異なるサイズであり、チップのサイズに合わせて選択的に使用できるようにしている。本実施の形態ではチップ挟持部を２箇所備えているが、その設置数については適宜設計可能とする。また、チップ挟持部１３の形状についても適宜設計可能とする。例えばチップ挟持部１３を四角形または六角形で形成することもできる。さらに、チップ挟持部１３の形状と大きさは適宜組み合わせることもできる。すなわち、形状を揃えて大きさを変える態様や、大きさを揃えて形状を変える態様等、適宜設計することができる。
【００２１】
そして、このように構成された美容用ニッパー１０により、チップ２０は選択的にサイズの合うチップ挟持部１３で挟持される。なお、図に示すチップ２０はO型チップであるが、チップにはC型チップもあり、C型チップを使用する場合にあってもチップ挟持部１３で挟持することができる。図に示すように、チップ挟持部１３は、挟持部１２に半円形状の溝を左右対称に設けることにより形成されているので、この箇所でO型やC型等の円形状のチップ２０は確実かつ簡単に挟持することができる。そして、この状態で使用者が把持部１１を強く握っても、所定の大きさ以上にチップ２０が潰れることはない。チップ挟持部１３ａ，１３ｂが楕円形で形成される場合には、図４（ａ）に示すようにチップ２０は所定の大きさと形状の楕円形に潰され、チップ挟持部１３ａ，１３ｂが六角形で形成される場合には、図４（ｂ）に示すようにチップ２０は所定の大きさと形状の六角形に潰される。いずれも髪の毛及びエクステンションを最適に挟持することができる。
【００２２】
そして、エクステンションを取り付ける工程の、図７（ｆ）に示したニッパーでチップを潰す工程において、上記美容用ニッパー１０を使用することにより、チップ２０により挟持されている髪の毛１００やエクステンション１２０が切れたり外れたりすることはなく、確実かつ簡単にエクステンションを取り付けることができる。
【００２３】
また、一方で、チップ２０により挟持されている髪の毛やエクステンションを取り外す際には、美容用ニッパー１０で潰れたチップ２０を挟持してチップを元の型に復元させるように操作を行うことにより取り外すことができる。復元させる操作はチップ挟持部１３でチップ２０を挟持して把持部１１を握ることにより、潰れているチップ２０を簡単に復元させることができる。
【図面の簡単な説明】
【００２４】
【図１】本発明の一実施の形態で用いる美容用ニッパーの閉じた様子を示す図
【図２】本発明の一実施の形態で用いる美容用ニッパーの開いた様子を示す図
【図３】本発明の一実施の形態で用いる美容用ニッパーによりチップを挟持する様子を示す図
【図４】（ａ）楕円形のチップ挟持部でチップを潰した状態を示す図  （ｂ）六角形のチップ挟持部でチップを潰した状態を示す図
【図５】本発明の一実施の形態で用いる美容用ニッパーを六方向から見た様子を示す図
【図６】エクステンションを取り付ける際に使用する構成を示す図
【図７】エクステンションを取り付ける手順を示す図
【図８】（ａ）従来使用されているニッパーによりチップを強く握って潰した後の状態を示す図  （ｂ）従来使用されているニッパーによりチップを弱く握って潰した後の状態を示す図
【符号の説明】
【００２５】
１０  美容用ニッパー
１１  把持部
１２  挟持部
１３  チップ挟持部
１４  バネ
２０  チップ
【図１】
2005021594.tif 000003
【図２】
2005021594.tif 000004
【図３】
2005021594.tif 000005
【図４】
2005021594.tif 000006
【図５】
2005021594.tif 000007
【図６】
2005021594.tif 000008
【図７】
2005021594.tif 000009
【図８】
2005021594.tif 000010